(57)【要約】【課題】所望のシーン又はそのシーンを含むコンテンツを簡単操作で管理（保護）することができるシーン管理方法を提供すること。【解決手段】実施形態に係るシーン管理方法は、複数のコンテンツに含まれる複数のシーンに関するシーン情報を受信し、前記シーン情報に基づく前記複数のシーンのうちの１つのシーンの再生指示に対応してそのシーンを再生し、前記シーン情報に基づく前記複数のシーンに含まれる複数の第１シーンの保護指示に対応して前記複数の第１シーンを保存するものであって、前記複数の第１シーンは、保存後、指定期間が経過した後の自動削除の対象とならない。【選択図】図１
2014229992.tif 000002
【特許請求の範囲】
【請求項１】
複数のコンテンツに含まれる複数のシーンに関するシーン情報を受信し、
前記シーン情報に基づく前記複数のシーンのうちの１つのシーンの再生指示に対応してそのシーンを再生し、
前記シーン情報に基づく前記複数のシーンに含まれる複数の第１シーンの保護指示に対応して前記複数の第１シーンを保存するものであって、
前記複数の第１シーンは、保存後、指定期間が経過した後の自動削除の対象とならないシーン管理方法。
【請求項２】
前記複数のコンテンツを指定期間保存し、前記複数の第１シーンの保護指示に対応して前記複数のコンテンツに含まれる前記複数の第１シーンを保存し、前記複数の第１シーンは、保存後、指定期間が経過した後の自動削除の対象とならない請求項１のシーン管理方法。
【請求項３】
前記複数の第１シーンの保護指示に対応して前記複数の第１シーンを含む前記複数のコンテンツを保存し、前記複数のコンテンツは、保存後、指定期間が経過した後の自動削除の対象とならない請求項１又は２のシーン管理方法。
【請求項４】
前記複数のコンテンツを指定期間保存し、前記複数の第１シーンの保護指示に対応して前記前記複数の第１シーンを含む前記複数のコンテンツは、保存後、指定期間が経過した後の自動削除の対象とならない請求項１乃至３の何れか一つのシーン管理方法。
【請求項５】
前記シーンの再生指示に対応してそのシーンを保存し、そのシーンは、保存後、指定期間が経過した後の自動削除の対象とならない請求項１乃至４の何れか一つのシーン管理方法。
【請求項６】
指定時間を超えて再生されたシーンを保存し、そのシーンは、保存後、指定期間が経過した後の自動削除の対象とならない請求項５のシーン管理方法。
【請求項７】
スキップ再生を含まずに指定時間を超えて連続再生されたシーンを保存し、そのシーンは、保存後、指定期間が経過した後の自動削除の対象とならない請求項６のシーン管理方法。
【請求項８】
前記シーンの再生指示に対応してそのシーンを含むコンテンツを保存し、そのコンテンツは、保存後、指定期間が経過した後の自動削除の対象とならない請求項１乃至７の何れか一つのシーン管理方法。
【請求項９】
前記複数のコンテンツを指定期間経過後に削除する請求項２のシーン管理方法。
【請求項１０】
前記複数のコンテンツを第１の領域に指定期間保存し、前記複数の第１シーンの保護指示に対応して前記複数のコンテンツに含まれる前記複数の第１シーンを第２の領域に指定期間経過後も保存する請求項２のシーン管理方法。
【請求項１１】
前記第１の領域に保存された前記複数のコンテンツを指定期間経過後に削除する請求項１０のシーン管理方法。
【請求項１２】
指定条件に合致する複数のシーン情報を表示装置へ出力し、
前記複数のシーン情報の中から保護のために選択された１又は２以上のシーン情報に基づく１又は２以上のシーンを保存し、１又は２以上のシーンは、保存後、指定期間が経過した後の自動削除の対象とならない請求項１乃至１１の何れか一つのシーン管理方法。
【請求項１３】
複数のコンテンツに含まれる複数のシーンに関するシーン情報を受信する受信手段と、
前記シーン情報に基づく前記複数のシーンのうちの１つのシーンの再生指示に対応してそのシーンを再生する再生手段と、
前記シーン情報に基づく前記複数のシーンに含まれる複数の第１シーンの保護指示に対応して前記複数の第１シーンを保存し、前記複数の第１のシーンを、保存後、指定期間が経過した後の自動削除の対象から除外する処理手段と、を備える電子機器。
【請求項１４】
前記処理手段は、前記複数のコンテンツを指定期間保存し、前記複数の第１シーンの保護指示に対応して前記複数のコンテンツに含まれる前記複数の第１シーンを保存し、前記複数の第１シーンを、保存後、指定期間が経過した後の自動削除の対象から除外する請求項１３の電子機器。
【請求項１５】
複数のコンテンツに含まれる複数のシーンに関するシーン情報を受信する手順と、
前記シーン情報に基づく前記複数のシーンのうちの１つのシーンの再生指示に対応してそのシーンを再生する手順と、
前記シーン情報に基づく前記複数のシーンに含まれる複数の第１シーンの保護指示に対応して前記複数の第１シーンを保存し、前記複数の第１シーンを、保存後、指定期間が経過した後の自動削除の対象から除外する手順と、をコンピュータに実行させるためのシーン管理プログラム。
【発明の詳細な説明】
【技術分野】
【０００１】
本発明の実施形態は、シーン管理方法、電子機器、及びシーン管理プログラムに関する。
【背景技術】
【０００２】
近年、デジタルＴＶの高機能化が進んでいる。例えば、高機能デジタルＴＶは、基本機能に加えて、シーン再生機能を備える。基本機能は、放送コンテンツを受信し再生したり、受信コンテンツを記録したりする機能である。シーン再生機能は、記録コンテンツに含まれる複数のシーンから、指定されたシーンを抽出して再生する機能である。例えば、高機能デジタルＴＶは、シーン再生機能の起動により、記録コンテンツに含まれる複数のシーンに対応する複数のシーン情報を一覧表示し、一覧表示の中から指定されたシーン情報に対応するシーンを抽出して再生する。ユーザは、シーン情報を指定するだけで、興味のあるシーン又は興味のあるシーンを含むコンテンツを視聴することができる。
【先行技術文献】
【特許文献】
【０００３】
【特許文献１】特開２００５−１８９２５号公報
【発明の概要】
【発明が解決しようとする課題】
【０００４】
上記したように、シーン再生機能により、ユーザは所望のシーン又はそのシーンを含むコンテンツを簡単に視聴することができるが、所望のシーン又はそのシーンを含むコンテンツを、他のシーン又は他のコンテンツと簡単に区別して管理する仕組みが無く、このような仕組みが要望されている。
【０００５】
例えば、上記基本機能によりコンテンツが自動記録されているケースを想定する。自動記録されたコンテンツは指定期間経過後に自動削除される。ユーザは所望のシーン又はそのシーンを含むコンテンツを残しておきたいと考えることがある。このような場合、例えば、シーン再生機能終了後に、記録コンテンツリスト（過去番組表など）から、所望のシーンを含むコンテンツを探し出し、そのコンテンツを自動削除の対象から除外するなどの対処が考えられる。
【０００６】
しかしながら、記録コンテンツリストから、所望のシーンを含むコンテンツを探し出すための操作は面倒であり、また、所望のシーンだけを抜き出すための操作も面倒であり、これらの操作性の向上が望まれている。つまり、所望のシーン又はそのシーンを含むコンテンツを、簡単操作で管理する仕組みが要望されている。
【０００７】
本発明の一形態の目的は、所望のシーン又はそのシーンを含むコンテンツを簡単操作で管理（保護）することができるシーン管理方法、電子機器、及びシーン管理プログラムを提供することである。
【課題を解決するための手段】
【０００８】
一形態に係るシーン管理方法は、複数のコンテンツに含まれる複数のシーンに関するシーン情報を受信し、前記シーン情報に基づく前記複数のシーンのうちの１つのシーンの再生指示に対応してそのシーンを再生し、前記シーン情報に基づく前記複数のシーンに含まれる複数の第１シーンの保護指示に対応して前記複数の第１シーンを保存するものであって、前記複数の第１シーンは、保存後、指定期間が経過した後の自動削除の対象とならない。
【図面の簡単な説明】
【０００９】
【図１】実施形態に係る再生装置（シーン管理装置）のシーン連続再生において出力される再生画面（シーンリスト表示画面）の一例を示す図である。
【図２】シーンリスト表示画面の表示内容の一例を示す図である。
【図３】シーンリスト表示画面の表示中におけるリモートコントローラの各キーの機能の一例を説明するための図である。
【図４】実施形態に係る再生装置によるシーン管理の一例を説明するためのフローチャートである。
【図５】実施形態に係る再生装置によるシーン管理の一例を説明するためのフローチャートである。
【図６】実施形態に係る再生装置に対応するリモートコントローラの概略構成の一例を示す図である。
【図７】実施形態に係るシステム構成の概要の一例を示す図である。
【図８】実施形態に係るシステム構成の概要の一例を示す図である。
【図９】実施形態に係るシステム構成の概要の一例を示す図である。
【図１０】本実施形態で使用する用語、略語の定義、意味を示す図である。
【図１１】実施形態に係るソフトウェア構成の一例を示す図である。
【図１２Ａ】Scenefo、SceneListの機能の一例を示す図である。
【図１２Ｂ】Scenefo、SceneListの機能の一例を示す図である。
【図１２Ｃ】Scenefo、SceneListの機能の一例を示す図である。
【図１３】Scenefo/SceneListの画面遷移の一例を示す図である。
【図１４】アプリケーション起動の画面遷移の一例を示す図である。
【図１５】本実施形態で使用する用語、略語の定義、意味を示す。
【図１６】実施形態に係る各種サーバの連携の一例を示す図である。
【図１７】実施形態に係るメタデータサーバの概略構成の一例を示す図である。
【図１８Ａ】シーン情報に含まれるメタデータの一例を示す図である。
【図１８Ｂ】シーン情報に含まれるメタデータの一例を示す図である。
【図１８Ｃ】シーン情報に含まれるメタデータの一例を示す図である。
【図１８Ｄ】シーン情報に含まれるメタデータの一例を示す図である。
【図１９】実施形態に係るシステム構成の詳細の一例を示す図である。
【図２０】シーン情報を利用したサービス提供のイメージを示す図である。
【図２１Ａ】画面遷移の概要を例示する図である。
【図２１Ｂ】画面遷移の概要を例示する図である。
【図２１Ｃ】画面遷移の概要を例示する図である。
【図２１Ｄ】画面遷移の概要を例示する図である。
【図２２】画面遷移の詳細を例示する図である。
【図２３】画面遷移の詳細を例示する図である。
【図２４】画面遷移の詳細を例示する図である。
【図２５】画面遷移の詳細を例示する図である。
【図２６】画面遷移の詳細を例示する図である。
【図２７】画面の一例を示す図である。
【図２８】画面の一例を示す図である。
【図２９】画面の一例を示す図である。
【図３０】画面の一例を示す図である。
【図３１Ａ】ScenePlayの機能一覧の一例を示す図である。
【図３１Ｂ】ScenePlayの機能一覧の一例を示す図である。
【図３１Ｃ】ScenePlayの機能一覧の一例を示す図である。
【図３２】ScenePlayの画面遷移の一例を示す図である。
【図３３】クラウドメニュー画面の一例を示す図である。
【図３４】遷移後の画面の一例を示す図である。
【図３５】遷移後の画面の一例を示す図である。
【図３６】遷移後の画面の一例を示す図である。
【図３７】遷移後の画面の一例を示す図である。
【図３８】遷移後の画面の一例を示す図である。
【図３９】遷移後の画面の一例を示す図である。
【図４０】クラウドメニュー画面の一例を示す図である。
【図４１】瞬間視聴率トップ３０の一例を示す図である。
【図４２】人気シーントップ３０の一例を示す図である。
【図４３】フレンドのおすすめシーン情報の一例を示す図である。
【図４４】今日のホットワードに対応するシーン情報の一例を示す図である。
【図４５】ユーザカスタマイズのシーン再生画面の一例を示すである。
【図４６】画面遷移の流れ示す図である。
【図４７】画面の一例を示す図である。
【図４８】画面の一例を示す図である。
【図４９】画面の一例を示す図である。
【図５０】画面の一例を示す図である。
【図５１】画面の一例を示す図である。
【図５２】画面の一例を示す図である。
【図５３】画面の一例を示す図である。
【図５４】通常のシーン再生とシーン連続再生とを説明するための図である。
【発明を実施するための形態】
【００１０】
以下、実施形態について図面を参照して説明する。最初に、シーン管理（指定又は再生されたシーン或いはそのシーンを含むコンテンツの保護）の前提となるシーン再生の概要について説明し、続いてシーン管理について説明し、最後にシーン再生の詳細について説明する。なお、シーン再生の詳細説明において、シーン管理及びシーン再生を実現する再生装置１についても説明する。本実施形態では、コンテンツと番組を同義の用語として用いる。
【００１１】
（シーン再生の概要）
図７〜図９は、実施形態に係るシステム構成の概要の一例を示す図である。実施形態に係るシステムは、各種サーバ（タグリストサーバＳ１１、メタデータ作成サーバＳ２、通販サイトサーバＳ３）と再生装置（例えばDigital TV）１により構成され、さらに、モバイル端末（タブレットPC、スマートフォンなど）２を利用することができる。なお、本実施形態では、システム構成の一つに、再生装置としてＤＴＶを適用するケースについて説明するが、ＤＴＶに限定されるものではない。ユーザインターフェース、通信機能、コンテンツ処理機能、コンテンツ出力機能、及び記憶機能等を備えたデバイスであればどのようなデバイスであってもよい。そのデバイスの一例として、デジタルレコーダ、モバイル端末等が挙げられる。
【００１２】
以下、ＤＴＶに搭載されるタイムクラウド機能である“Scenefo/SceneList/ScenePlay”アプリケーションについて説明する。Scenefo（シーンフォ）は、シーン情報を意味する。SceneList（シーンリスト）は、シーン情報を集めたリストを意味する。ScenePlay（シーンプレイ）は、シーン情報を利用した再生を意味する。
【００１３】
タイムクラウドはメタデータ作成会社、ユーザ、又はbotなどによって作成されたタグ又はシーン情報と映像コンテンツを結びつけるサービスであり、以下の３つの機能から構成される。
【００１４】
<Scenefo>
図７に示すように、Scenefoは、再生中の気になるシーンのシーン情報を提供する機能である。ここで利用するタグリスト（登録商標）は、例えば、メタデータ作成会社が提供する企業作成タグリストである。なお、ユーザが作成したユーザ作成タグリストを利用してもよい。
【００１５】
図７に示すように、本システムによれば、以下の処理を経て以下のサービスを提供することができる。
【００１６】
０．タグリスト登録
１．コンテンツ再生
２．Scenefo起動
３．企業作成タグリストの送受信
４．商品提示（表示）
５．商品選択（入力操作）
６．商品ページの提供（表示）
<SceneList>
図８に示すように、SceneListは、再生中に視聴したいシーンだけを選択視聴する機能である。ユーザ作成タグリスト、タグbotタグリスト、メタデータ作成会社が提供する企業作成タグリストなど、様々なタグリストの中から利用したいタグリストから視聴したいシーンを選んで視聴する。
【００１７】
０．タグリスト登録
１．コンテンツ再生
２．SceneList起動
３．タグリスト一覧の送受信
４．タグリスト選択（入力操作）
５．タグリストの送受信
６．タグジャンプ
<ScenePlay>
図９に示すように、ScenePlayは、再生可能な映像コンテンツの多数のシーン情報からユーザが興味のあるシーンを探して視聴する機能である。おすすめシーンから気になるシーンを発見し、そのまま気になるシーンを選んで視聴する。利用できるタグリストはユーザ作成タグリストやタグbotタグリスト、メタデータ作成会社が提供する企業作成タグリストなど、様々なタグリストが対象となる。
【００１８】
０．タグリスト登録
１．ScenePlay起動
２．レコメンド処理
３．タグ一覧の送受信
４．タグ選択（入力操作）
５．タグ位置からコンテンツ再生
図１０は、本実施形態で使用する用語、略語の定義、意味を示す。
【００１９】
図１１は、実施形態に係る再生装置の概略構成の一例を示す図である。再生装置１のタイムクラウドアプリケーションは大きくキーイベント処理を担うController１０１と画面表示を担うView１０２とＤＴＶ ＭＷやサーバからの情報取得やＤＴＶ操作を担うmodel１０３からなる。例えば、各種ＤＴＶ機能モジュール１１０は、Scenefo、SceneList、ScenePlay 機能を実現するための複数のモジュールを含み、さらに、ＤＴＶの基本的な機能であるコンテンツの再生、コンテンツの記録を実現するためのモジュール、コンテンツ、シーン等を検索するためのモジュールを含む。例えば、ＤＴＶ機能モジュール１１０は、制御モジュール１１１、通信モジュール１１２、記憶モジュール１１３、チューナ１１４、記録モジュール１１５、再生モジュール１１６、管理モジュール１１７、ディスプレイ１１８を備える。
【００２０】
（シーン管理）
図１は、図１１に示す再生装置（シーン管理装置）１のシーン連続再生において出力される再生画面（シーンリスト表示画面）の一例を示す図である。図２は、シーンリスト表示画面の表示内容の一例を示す図である。図３は、シーンリスト表示画面の表示中におけるリモートコントローラＲの各キーの機能の一例を説明するための図である。
【００２１】
図１に示すように、再生装置１のディスプレイ１１８により出力（表示）されるシーンリスト表示画面は、キーワードＡ１、コンテンツ情報Ａ２、シーンボタンＡ３、再生中マークＡ４、操作ガイドＡ５、チェックボックスＡ６、シーン再生画面Ａ７を含む。例えば、シーン情報は、コンテンツ情報Ａ２及びシーンボタンＡ３を含む。
【００２２】
なお、本実施形態の図１に示す再生画面では、同じコンテンツに属する複数のシーン情報はまとめて表示される。例えば、一つのコンテンツに対応する一つのコンテンツ情報Ａ２に対応して１又は複数のシーンボタンＡ３が表示される。
【００２３】
キーワードＡ１は、ユーザが図６に示すリモートコントローラＲ等を介して再生装置１へ入力した情報であってもよいし、モバイル端末２から転送された情報であってもよい。再生装置１は、再生可能なコンテンツ（記録コンテンツ等）に関する情報を外部サーバへ送信し、外部サーバから前記再生可能なコンテンツを構成する複数のシーンに対応する複数のシーン情報（シーンリスト）を受信し、受信した複数のシーン情報を表示することができる。シーン情報は、対応するコンテンツに関する情報（コンテンツのタイトル、コンテンツの属するチャンネル番号、コンテンツの放送開始日等）、対応するシーンに関する情報（説明、コメント等）、対応するコンテンツ中の対応するシーンの再生時間（再生開始時間及び再生終了時間）等を含む。
【００２４】
例えば、ユーザが図６に示すリモートコントローラＲ等を介して、複数のシーン情報の中から、一つのシーン情報（シーンボタンＡ３）を選択（再生指定）すると、再生装置１の再生モジュール１１６は、選択されたシーン情報に対応するシーンを含むコンテンツを再生する。つまり、再生装置の再生モジュール１１６は、再生の対象として選択されたシーン情報に対応するシーンを検索して、検索されたシーンを再生し、ディスプレイ１１８は対応するシーンを出力（表示）する。
【００２５】
各シーン情報は、各シーンボタンに対応し、各シーンボタンはチェックボックスを含む。例えば、図１に示すように、ユーザが、再生画面中の一番下のシーンボタンＡ３内のチェックボックスＡ６にチェックを入れると、管理モジュール１１７は、再生画面中の一番下のシーンボタンＡ３に対応するシーン又はそのシーンを含むコンテンツを他のシーン又は他のコンテンツと区別して管理する。なお、対応するシーンを他のシーンと区別して管理するか（シーン単位の管理）、又は対応するシーンを含むコンテンツを他のコンテンツと区別して管理するかは（コンテンツ単位の管理）、設定により切り替えることができる。例えば、ユーザが、リモートコントローラＲを介して設定画面から、シーン単位の管理又はコンテンツ単位の管理を指定することができる。本実施形態では、シーン単位の保護又はコンテンツ単位の保護について説明する。シーン単位の保護又はコンテンツ単位の保護とは、いずれかの記録媒体に記憶されているシーン又はコンテンツについて、少なくとも自動削除の対象から除外することである。
【００２６】
つまり、チェックボックスＡ６は保存（保護）を指定するチェックボックスであり、管理モジュール１１７は、再生画面中の一番下のシーンボタンＡ３内のチェックボックスＡ６にチェックが設定されているので、管理モジュール１１７は、再生画面中の一番下のシーンボタンＡ３に対応するシーン又はそのシーンを含むコンテンツを保護する。
【００２７】
例えば、再生装置１の記録モジュール１１５が、複数チャンネルのコンテンツを自動記録している場合、自動記録されたコンテンツは記憶部１１３の第１の領域に指定期間保存されるが、その後、削除又は別のコンテンツにより上書き記録されてしまう。言い換えれば、記憶部１１３の第１の領域に保存された状態のコンテンツは、保護されていない。そこで、管理モジュール１１７は、再生画面中の一番下のシーンボタンＡ３に対応するシーン（対応シーン）又はそのシーンを含むコンテンツ（対応コンテンツ）を保護し、対応シーン又は対応コンテンツを指定期間経過後も保存する。そのため、例えば、管理モジュール１１７は、記憶部１１３の第１の領域に記憶された対応シーン又は対応コンテンツを、記憶部１１３の第２の領域に移動又はコピーする。或いは、管理モジュール１１７は、記憶部１１３の第１の領域に記憶された対応シーン又は対応コンテンツを削除対象から除外して管理する。
【００２８】
或いは、管理モジュール１１７は、対応シーン又は対応コンテンツを指定された外部記憶媒体（例えばハードディスク、メモリカード）へ出力し、対応シーン又は対応コンテンツを保護する。或いは、管理モジュール１１７は、対応シーン又は対応コンテンツを指定された機器（モバイル端末等）へ出力（送信）し、対応シーン又は対応コンテンツを保護する。
【００２９】
なお、上記説明では、管理モジュール１１７が、チェックボックスでチェックされたシーンボタンに対応するシーン又はそのシーンを含むコンテンツを保護するケースについて説明したが、シーンボタンの選択（再生指定）により再生されたシーン又はそのシーンを含むコンテンツを保護するようにしてもよい。例えば、管理モジュール１１７は、一定時間（例えば５分或いは全体の１／３）を超えて再生されたシーン又はそのシーンを含むコンテンツを保護する。又は、管理モジュール１１７は、スキップ再生を含まずに一定時間（例えば５分）を超えて連続再生されたシーン又はそのシーンを含むコンテンツを保護する。
【００３０】
以下、図４及び図５に示すフローチャートを参照して、シーン管理（対象となるシーンの保護又は対象となるシーンを含むコンテンツの保護）の一例についてについて説明する。
【００３１】
例えば、ユーザは、リモートコントローラＲのボタンＲ１又はＲ２を介して、みどころシーン再生を指示し、キーワードＡ１として「地中海」を入力し、検索を指示すると、再生装置１の制御モジュール１１１は、自動記録されたコンテンツ（及びユーザ指定記録されたコンテンツ）の中から、キーワードＡ１に関連した複数のシーンを抽出し、ディスプレイ１１８は、抽出した複数のシーンに対応する複数のシーンボタン（複数のシーン情報）をシーンリストとして表示し、再生モジュール１１６は、複数のシーンボタンの中から選択されたシーンボタンに対応するシーンを再生し、ディスプレイ１１８は、選択されたシーンボタンに対応するシーンの再生映像を表示する（図１参照）。
【００３２】
シーンリストに表示される内容は、サーバから取得したメタデータと複数の記録コンテンツとを照合させたものである。
【００３３】
例えば、再生装置１の再生モジュール１１６は、複数のシーンボタンに対応する複数のシーンを順に連続再生する（ＳＴ１１）。また、ユーザがリモートコントローラＲのカーソル上キー又はカーソル下キーを押下すると、再生モジュール１１６は、再生中のシーンの次のシーンや再生中のシーンの前のシーンに移動してシーンを再生する。
【００３４】
例えば、ユーザが、再生中のシーンを気に入り再生中のシーンを保存したいと思った際には（ＳＴ１２、ＹＥＳ）、リモートコントローラＲを介して、再生中のシーンに対応する再生中のシーンを選択（保護指定）する（ＳＴ１３）。例えば、ユーザは、リモートコントローラＲの緑キーを押下すると、再生中のシーンを保護指定することができ、選択したシーンボタン中のチェックボックスにチェックを設定することができる。管理モジュール１１７は、チェックボックスにチェックが入ったシーンボタンに対応するシーン（対応シーン）又はそのシーンを含むコンテンツ（対応コンテンツ）を保護（保存）する（ＳＴ１４）（ＳＴ１５）。つまり、管理モジュール１１７は、対応シーン又は対応コンテンツを自動削除の対象から除外し、例えば、記憶部１１３の第１の領域に記憶された対応シーン又は対応コンテンツを、記憶部１１３の第２の領域に移動又はコピーする。以上により、ユーザが保存したいと思ったシーン又はそのシーンを含むコンテンツを容易に保護（保存）することができる。再生モジュール１１６は、シーン連続再生の最後のシーンの再生を終えると（ＳＴ１６、ＹＥＳ）、シーン連続再生を終了する。
【００３５】
シーンボタンのチェックボックスにチェックを入れることにより、そのシーンボタンに対応するシーン又はそのシーンを含むコンテンツを保護するケースについて説明したが、上記したように、シーンボタンを選択して、シーンボタンに対応するシーンを再生することにより、管理モジュール１１７が、対応シーン又は対応コンテンツを保護（保存）するようにしてもよい。
【００３６】
例えば、ユーザは、複数のシーンボタンの中から視聴したいシーンボタンを選択（再生指定）する。再生装置１の再生モジュール１１６は、選択されたシーンボタンに対応するシーンから順に連続再生を開始する（ＳＴ２１）。シーンの再生時間が一定時間を超えると（ＳＴ２２、ＹＥＳ）、、管理モジュール１１７は、一定時間を超えて再生されたシーン（再生済みシーン）又はそのシーンを含むコンテンツを保護（保存）する（ＳＴ２３）（ＳＴ２４）。つまり、管理モジュール１１７は、再生済みシーン又は再生済みシーンを含むコンテンツを自動削除の対象から除外し、例えば、記憶部１１３の第１の領域に記憶された再生済みシーン又は再生済みシーンを含むコンテンツを、記憶部１１３の第２の領域に移動又はコピーする。以上により、ユーザが興味を持った再生済みシーン又はその再生済みシーンを含むコンテンツを容易に保護（保存）することができる。再生モジュール１１６は、シーン連続再生の最後のシーンの再生を終えると（ＳＴ２５、ＹＥＳ）、シーン連続再生を終了する。
【００３７】
以上により、再生装置１は、みどころシーン再生におけるシーン連続再生において、指定したシーン又はそのシーンを含むコンテンツを簡単に保護（保存）することができる。或いは、再生装置１は、シーン連続再生において、再生されたシーン又はそのシーンを含むコンテンツを保護（保存）することができる。或いは、再生装置１は、シーン連続再生において、一定時間（指定時間）を超えて再生されたシーン又はそのシーンを含むコンテンツを保護（保存）することができる。その結果、連続再生したシーンの中で気に入り保存したいと思ったシーン又はそのシーンを含むコンテンツを簡単に保護（保存）することができる。
【００３８】
以下、本実施形態の再生装置によるシーン管理の一例についてまとめる。
【００３９】
（１）例えば、実施形態の再生装置は、みどころシーン再生におけるシーン連続再生において、シーンボタン（シーン情報）のチェックボックスにユーザがチェックを入力するだけで、そのシーンボタンに対応するシーン又はそのシーンを含むコンテンツを保護（保存）することができる。
【００４０】
（２）また、実施形態の再生装置は、シーン連続再生おいて、スキップ再生無しで一定時間を超えて連続再生されたシーン又はそのシーンを含むコンテンツを保護（保存）することができる。
【００４１】
なお、上記処理（シーン管理）の手順は全てソフトウェアによって実行することが可能である。このため、上記処理の手順を実行するプログラムを格納したコンピュータ読み取り可能な記憶媒体を通じてこのプログラムを通常のコンピュータにインストールして実行するだけで、上記処理を容易に実現することができる。
【００４２】
例えば、再生装置１は、通信モジュール１１２等を介して、上記プログラムをダウンロードし、ダウンロードしたプログラムを記憶し、プログラムのインストールを完了することができる。これにより、上記コンピュータに相当する再生装置１は、インストールされた上記プログラムに基づき、上記処理（シーン管理）を容易に実現することができる。
【００４３】
また、再生装置１は、コンピュータ読み取り可能な記憶媒体から上記プログラムを読み取り、読み取ったプログラムを記憶し、プログラムのインストールを完了することができる。
【００４４】
（シーン再生の詳細）
図１２Ａ、図１２Ｂ、及び図１２Ｃは、Scenefo、SceneListの機能の一例を示す。
【００４５】
図１３は、Scenefo/SceneListの画面遷移の一例を示す。  
ＤＴＶにおいて、映像コンテンツが再生された時点（再生初期画面）ではScenefo/SceneListアプリケーションは未起動状態であり、ユーザ操作によってScenefo/SceneListアプリケーションが起動される。このときアプリケーションの起動と同時にブラウザも起動される。アプリケーション起動の画面遷移を図１４に示す。画面遷移の際にメタデータサーバからタグリストに関連するデータを取得する。
【００４６】
次に、メタデータサーバ等について詳細に説明する。
【００４７】
メタデータサーバは、タイムクラウドサービスのScenefo、SceneList、ScenePlay 機能を実現するために必要な番組メタデータ情報を管理するサーバである。サービスで使用するメタデータは、データ提供元のメタデータ作成サーバから取得する。メタデータサーバは、取得したメタデータを用いて、番組内の１シーンの詳細情報を示すシーン情報を生成し、再生装置に送信する。
【００４８】
図１５は、本実施形態で使用する用語、略語の定義、意味を示す。
【００４９】
図１６は、実施形態に係る各種サーバの連携の一例を示す図である。
【００５０】
メタデータサーバＳ１１は、メタデータ作成サーバＳ２からメタデータを取得し、メタデータサーバＳ１１のデータベースに格納する。取得したメタデータの一部は、端末のタグ処理アプリケーションと互換性のある形式に変換し、タグリスト情報を管理するタグリストサーバＳ１２に登録する。メタデータサーバＳ１１は、再生装置の要求に応じて必要なメタデータをシーン情報に変換し、再生装置に送信する。また、タイムクラウドサービスで使用するユーザ作成のタグリスト情報についても、再生装置はメタデータサーバＳ１１を経由してタグリストサーバＳ１２から取得することも可能とする。
【００５１】
図１７は、実施形態に係るメタデータサーバの概略構成の一例を示す図である。
【００５２】
メタデータサーバが提供する機能について記載する。
【００５３】
（１）コマンド(Web API)処理
メタデータサーバＳ１１は、各種データを取得し、再生装置へ提供する。例えば、メタデータサーバＳ１１は、以下のデータを取得し、再生装置へ提供する。
【００５４】
＜シーン情報リストの取得＞
指定した条件に一致する番組のシーン情報リストを取得する。指定条件に一致する番組のシーン情報リストが複数存在する場合は、全て取得する。条件一致するシーン情報リストが存在しない場合は、その旨が通知される。取得するシーン情報リスト中にタグリストサーバＳ１２に登録されているユーザ作成のタグリストを含めることも可能とする。
【００５５】
＜シーン情報リストが存在する番組一覧の取得＞
指定した条件のシーン情報リストが存在する”番組の一覧”を取得する。取得する番組一覧中に、タグリストサーバＳ１２に登録されているユーザ作成のタグリストが存在する番組を含めることも可能とする。
【００５６】
＜シーン情報リスト一覧の取得＞
指定した番組に登録されている”シーン情報リストの一覧”を取得する。取得するリスト一覧中に、タグリストサーバＳ１２に登録されているユーザ作成のタグリストの一覧を含めることも可能とする。
【００５７】
＜シーン情報リストの取得＞(ID指定)
指定したIDの”シーン情報リスト”を取得する。タグリストID を指定した場合は、タグリストサーバＳ１２に登録されているユーザ作成のタグリストを取得する。
【００５８】
＜シーン情報の検索＞
指定した検索条件に一致するシーン情報を含むシーン情報リストを取得する。検索条件には、ユーザが入力する任意キーワードを指定可能なものとする。
【００５９】
＜おすすめシーン情報の取得＞
レコメンドエンジンＲＥが算出した”おすすめシーン”情報を取得する。
【００６０】
＜お気に入りシーン情報の取得＞
サーバが管理するユーザが登録した”お気に入りシーン”情報を取得する。
【００６１】
（２）メタデータ取得処理
メタデータ作成サーバＳ２が提供するメタデータを取得する。メタデータ作成サーバＳ２が提供するメタデータの取得には、メタデータ作成サーバＳ２が提供するWeb APIを使用する。
【００６２】
（３）タグリスト生成/登録処理
メタデータ中の番組放送履歴データをタグリストサーバＳ１２にタグリストとして登録する。登録したメタデータは既存タグリストと互換性を持ち、端末のアプリケーションから利用可能。
【００６３】
（４）シーン情報生成/送信処理
メタデータ作成サーバＳ２から取得したメタデータをもとにシーン情報を生成し、再生装置に送信する。シーン情報生成時に実行する処理を下記に示す。
【００６４】
（４．１）番組情報の引き当て
再生装置は、（ａ）番組名（又は番組ＩＤ等の識別情報）、（ｂ）番組放送日時、（ｃ）チャンネル番号を送信する。メタデータサーバは、再生装置から受信した、（ａ）番組名、（ｂ）番組放送日時、（ｃ）チャンネル番号に基づき、メタデータサーバ内のデータベースを検索し、１以上のシーン情報が登録された該当番組が存在する場合は、その番組の１以上のシーン情報を生成した後、再生装置に送信する。該当する番組が複数存在する場合は、全ての候補を再生装置に送信する。該当する番組が存在しない場合は、その旨を再生装置に送信する。
【００６５】
つまり、再生装置は、メタデータサーバに対して、コンテンツの識別情報（番組名、番組放送日、チャンネル番号等）を送信し、メタデータサーバからコンテンツの複数のシーンに対応する複数のシーン情報を受信する。
【００６６】
（４．２）シーン情報の検索
再生装置から受信した検索条件に一致するメタデータ情報をメタデータサーバ内のデータベースから検索し、該当するメタデータ情報を含むシーン情報リストを再生装置に送信する。検索対象のメタデータは、番組放送履歴データ、商品データ（商品名など）、商品取り扱い企業データ（企業名など）、店舗データ、ＣＭ放送履歴データとする。
【００６７】
（４．３）シーン情報の生成
メタデータサーバ内のデータベースに格納された放送履歴データ、商品データ、商品取り扱い企業データ、店舗データ、ＣＭ放送履歴データを関連付け、シーン情報を生成する。生成するシーン情報に含まれるメタデータの一覧を図１８Ａ、図１８Ｂ、図１８Ｃ、図１８Ｄに示す。
【００６８】
なお、１シーン情報内に商品情報、店舗情報が存在しない場合もある。また１シーン情報内に複数の商品データ、商品取り扱い企業データ、店舗データが関連付けられる場合もある。
【００６９】
（４．４）タグリスト情報とシーン情報のマージ処理
タグリストサーバが管理するタグリスト情報と、メタデータサーバ内で生成するシーン情報を、再生装置の要求に応じてメタデータサーバでマージし、再生装置に送信する。また、タグリストサーバから取得するタグ情報にはタグ終了時間が記載されていないため、再生装置からの要求に応じて、注目するタグの次タグの開始時間を現タグの終了時間として設定する処理を、メタデータサーバにて実行する。
【００７０】
（４．５）タグリスト取得処理
メタデータサーバは、再生装置からの要求に応じて、タグリストサーバに登録されているタグリスト情報を取得し、必要な処理を実施した後、再生装置に送信する。タグリストサーバからのデータ取得は、タグリストサーバが提供するAPIを使用する。メタデータサーバがタグリストサーバから取得するデータは、タグ及びタグリストに関するものとする。
【００７１】
（４．６）送信フォーマット変換処理
再生装置からの要求に応じて、タグリストサーバから取得したＸＭＬフォーマットのタグリスト情報をＪＳＯＮフォーマットに変換し、再生装置に送信する。
【００７２】
図１９は、実施形態に係るシステム構成の詳細の一例を示す図である。上記説明したように、本システムは、各種サーバと再生装置（例えばＤＴＶ）１により構成され、さらに、モバイル端末（タブレットPC、スマートフォンなど）２を利用することができる。
【００７３】
ＤＴＶは、各種のボタン、キーの押下を検出し、ボタン、キーに応じた動作を実行する。例えば、ＤＴＶは、番組「再生中」に、気になる！ボタンの押下を検出すると、その時点の「シーン」の情報（Scenefo）にアクセスし、各種アプリケーションを開き、その「シーン」に関連するサービスを提供することができる。つまり、気になる！ボタンとは、番組「再生中」に、その時点の「シーン」の情報へのアクセスを指示するためのボタンである。例えば、例えば上記したScenefoアプリケーションが起動し、その「シーン」に関連するサービスを提供する。つまり、ユーザは、気になる！ボタンを押下すると、ＤＴＶとScenefoアプリケーションの協働により、その時点の「シーン」に応じた、サービスの提供を受けることができる。
【００７４】
例えば、ＤＴＶが、番組（コンテンツ）の複数のシーンを順に再生し、ユーザが、「再生中」に気になる！ボタンを押すと、ＤＴＶは、このボタン押下（シーン情報要求）を検知し、画面を切り替えて、そのシーンに関連する情報（シーン情報）を出力する。ＤＴＶは、シーンが替わる毎に、出力するシーン情報も順次、切り替える。
【００７５】
例えば、ＤＴＶは、記録された番組を再生する際に、番組の複数シーンのうちの再生中の第１のシーンに対応する第１のシーン情報を出力し、前記第１のシーン情報とともに、前記第１のシーンより前の第２のシーンに対応する第２のシーン情報を出力し、前記第１のシーン情報とともに、前記第１のシーンより後の第３のシーンに対応する第３のシーン情報を出力する。なお、ＤＴＶは、番組の再生映像とともに、前記第１、第２、第３のシーン情報を出力し、前記第１のシーン情報と、前記第２及び第３のシーン情報とを異なる表示形式で出力する。例えば、前記第１のシーン情報を第１の表示色で出力し、前記第２及び第３のシーン情報を第２の表示色で出力する。
【００７６】
さらに、シーン情報について詳細に説明する。
【００７７】
（１）ＤＴＶは、出力（表示）したシーン情報の選択を検出すると、シーン情報の元になったシーンに関連するリンク（サービス情報）を出力する。ユーザは、ＤＴＶに出力されるリンク（例えば商品の購入サイトのＵＲＬ、所プリアドレスヘッダの予約サイトのＵＲＬ）を介して、そのシーンに関連する商品を購入したり、そのシーンに関連するサービスを提供する店舗を予約したりすることができる。また、そのシーンに関連するリンクをカーナビゲーションへ転送したり、そのシーンに関連するマップを開いたりすることもできる。
【００７８】
（２）ＤＴＶは、出力（表示）したシーン情報の選択を検出すると、シーン情報の元になったシーンに関連する、モバイル端末のアプリケーションを開く。
【００７９】
（３）ＤＴＶは、出力（表示）したシーン情報の選択を検出すると、シーン情報の元になったシーンに関連する情報をお気に入り登録する
（４）ＤＴＶは、出力（表示）したシーン情報の選択を検出すると、シーン情報の元になったシーンに関連する情報をメールで送信するためのメール送信画面を出力し、所定の選択又は入力操作に対応して、メールを送信する。
【００８０】
（５）ＤＴＶは、出力（表示）したシーン情報の選択を検出すると、シーン情報の元になったシーンに関連する情報をフレンドにメッセージ送信する。
【００８１】
また、番組のユーザ評価を指示する、いいね！ボタンは、色々なタイミングで押せる。つまり、ＤＴＶは、番組「再生中」に、いいね！ボタンの押下（シーン情報要求）を検出すると、その時点の「シーン」の情報（シーン情報）にアクセスし、「シーン」の情報をデータベース化することができる。
【００８２】
いいね！ボタンの押下を示す情報は、シーンのタグに対応付けることもできるし、リストに対応付けることもできるし、番組に対応付けることもできるし、特定シーンに対応付けることもできる。
【００８３】
図２０に示すように、ＤＴＶは、ポータルからサービスを起動し、気になるシーンの情報を表示することもできるし、ショッピングサイトで気になる商品をすぐに購入することもできる。
【００８４】
上記したように、実施形態に係るシステムでは、細かなシーン毎に、そのシーンにあった関連情報をタイムリーに提示させることができる。
【００８５】
以下、具体的に説明する。
【００８６】
<動作仕様>
ＤＴＶが、PVR又はタイムシフトマシンのコンテンツ再生中に、[Scenefo]キー押下を検出すると、再生位置の最近傍前のScenefoにフォーカスを当てた状態でScenefoを一覧表示する。なお、[Scenefo]キーに替わる、他の入力をトリガとして、上記一覧表示を実現するようにしてもよい。タイムシフトマシンとは、現在から遡って一定期間分（例えば過去１５日分）の複数チャンネル（例えば６チャンネル）の放送コンテンツを記録（全記録）するもので、タイムシフトマシンによる全記録が実行されている場合、ユーザは、過去に放送された番組（例えば過去１５日分）をいつでも視聴することができる。
【００８７】
例えば、Scenefo一覧では、Scenefoの一部（２行くらい）がリスト表示される。
【００８８】
Scenefoが存在しないケースでは、「Scenefoがありません。SceneListを表示しますか？」のダイアログを表示し、Yesの場合、SceneList選択画面に遷移する。
【００８９】
ＤＴＶは、Scenefo一覧表示中に [上] 又は [下] キー押下を検出すると、Scenefoカーソルを移動する。
【００９０】
ＤＴＶは、任意のScenefoにカーソルが当たった状態で [決定] キー押下を検出すると、カーソルが当たったScenefoに対応するシーンを再生する（再生ジャンプ）。
【００９１】
ＤＴＶは、Scenefo一覧の表示中に[戻る] 又は [終了] キー押下を検出すると、Scenefo一覧を閉じる。
【００９２】
ＤＴＶは、Scenefo一覧の表示中に任意のScenefoにカーソルが当たった状態で [右] キー押下を検出すると、Scenefoの詳細情報を表示する。Scenefoの詳細情報は、Scenefo全てを含む。Scenefoの詳細情報は、Scenefoの内容に応じたアクションボタンを含む。
【００９３】
例えば、以下の機能に対応するアクションボタンを含む。
【００９４】
「このシーンをお気に入り登録する」
「いいね！」／「いいね！を取り消す」／「いいね！カウント付き」
「テレビでショッピングサイトを開く」
「アプリケーションでショッピングサイトを開く」
「このScenefoをメールで送信する」
ＤＴＶは、「このシーンをお気に入り登録する」ボタンの押下を検出すると、対応するシーンをお気に入り登録する（後で纏め買いしたり、再度このシーンを観たいなどのユースケースに利用できる）。
【００９５】
サーバは、TV/アプリケーション等で共通利用するために、お気に入りScenefoを管理する。
【００９６】
ＤＴＶは、「いいね！」ボタン押下により、Scenefoに対応付けて、いいね！を示すログをサーバにアップロードする。これにより、Scenefo対応付けられた、いいね！のカウントが増える。
【００９７】
ＤＴＶは、「テレビでショッピングサイトを開く」ボタン押下を検出すると、ブラウザでショッピングサイトを開く。
【００９８】
ＤＴＶは、「アプリケーションでショッピングサイトを開く」ボタン押下を検出すると、アプリケーションにショッピングサイトのURLを渡す。アプリケーションは、URLに基づきショッピングサイトを開く。
【００９９】
ＤＴＶが、ショッピングサイトを表示したとしても、ユーザが、ＤＴＶのリモートコントローラ等でショッピング決済手続きを済ませる負担は大きい。そこで、上記の通り、ＤＴＶが、モバイル端末２のアプリケーションに対して、ショッピングサイトのURLを送信し、ショッピングサイト決済手続き等をモバイル端末２のアプリケーションで続ける旨を案内する。ユーザは、例えばモバイル端末２のタッチ入力機能を利用し、手元で、モバイル端末２を使ってショッピング決済手続き等を済ませることができる。
【０１００】
なお、ＤＴＶは、ショッピングサイトを表示する際に、ＤＴＶ本体側でショッピングサイトを表示する第１のモードと、モバイル端末２側でショッピングサイトを表示する第２のモードの何れかのモードの選択を受け付ける。ユーザが、第２のモードを選択した場合、ＤＴＶは、ショッピングサイトを表示せずに、モバイル端末２のアプリケーションに対して、ショッピングサイトのURLを送信する。例えば、サーバ経由で、ＤＴＶは、モバイル端末２のアプリケーションへショッピングサイトのURLを転送する。モバイル端末２は、受け取ったショッピングサイトのURLに基づき、ショッピングサイトを表示する。
【０１０１】
なお、ここでは、ＤＴＶの代わりにモバイル端末２が、ショッピングサイトを表示するケースについて説明したが、ＤＴＶのあらゆる表示等をモバイル端末２で実現するようにしてもよい。つまり、ＤＴＶは、ショッピングサイトのURLだけでなく、あらゆるサイトのURLをモバイル端末２へ送信することにより、モバイル端末２であらゆるサイトを表示することができる。
【０１０２】
ＤＴＶは、「このScenefoをメールで送信する」ボタン押下を検出すると、送信先メールアドレス選択画面を表示する。送信先メールアドレス選択画面は、メール予約用などで設定されているメールアドレスを候補として提示し、メールアドレスの選択を受け付けることができる。また、送信先メールアドレス選択画面は、メールアドレスの入力を受け付けることもできる。ユーザが、メールアドレスを選択して [送信] ボタンを押下すると、ＤＴＶは、メールアドレスの選択及び[送信] ボタンの押下を検出して、メールを送信する。
【０１０３】
ＤＴＶは、Scenefo一覧の表示中あるいはScenefo詳細の表示中に切換ボタンの押下を検出すると、「フル映像＋オーバーレイScenefo」表示と「映像とScenefoの分割」表示を切り換える。
【０１０４】
ＤＴＶは、コンテンツ再生中に [左] [右] キー押下を検出すると、Scenefo又はSceneListの「前へ」「次へ」再生ジャンプする。
【０１０５】
ＤＴＶは、最後に利用したもの（Scenefo又はSceneListの特定のリスト）をベースに動作し、デフォルトの設定ではScenefoをベースに動作し、Scenefoが無いかつ当該コンテンツ再生中に一度もSceneListを使っていない場合は何も動作しない
ＤＴＶは、Scenefo一覧の表示中に [SceneList利用] ボタン押下を検出すると、SceneListの選択画面に遷移する。
【０１０６】
例えば、ＤＴＶは、既存の「タグリスト利用」からScenefoもタグリストの１つとして利用できるようにする。
【０１０７】
また、ＤＴＶは、１つのScenefoから、CMのみ、商品情報のみ、のようにいくつかのタグリストとして表示することもできる。
【０１０８】
ＤＴＶは、[Scenefo] ボタンの押下を検出すると、現在再生位置の最近傍前のScenefoの詳細情報を表示する
ＤＴＶは、常に、現在再生位置の最近傍のScenefoを表示する。
【０１０９】
ＤＴＶは、「アプリケーションでショッピングサイトを開く」ボタンの押下を検出すると、ショッピングサイトのURLを受けて、ショッピングサイトをアプリケーション内ブラウザで開く。
【０１１０】
ＤＴＶは、[お気に入りScenefo] ボタンの押下を検出すると、お気に入り一覧を表示し、さらに「ショッピングサイトを開く」等のアクションに対応し、ショッピングサイトを開く。
【０１１１】
<関連ログアップロード要件>
ＤＴＶについて
ＤＴＶは、通常モードで [Scenefo] キー押下を検出すると、Scenefo一覧を表示した（Scenefoモード開始）再生位置、Scenefoをアップロードする。
【０１１２】
ＤＴＶは、Scenefo一覧から [決定] キー押下の検出に対応して、シーンジャンプに利用されたScenefoをアップロードする。
【０１１３】
ＤＴＶは、Scenefo一覧から [右] キー押下の検出に対応して、Scenefoの詳細表示に利用されたScenefoをアップロードする。
【０１１４】
ＤＴＶは、Scenefo詳細から得られた購入サイト、商品サイト、店舗サイト、又は地図サイトのＵＲＬ等をアップロードする。
【０１１５】
ＤＴＶは、Scenefo詳細をアプリケーションに転送した場合、Scenefo詳細に対応するScenefoをアップロードする。
【０１１６】
ＤＴＶは、Scenefo詳細をメール送信した場合、Scenefo詳細に対応するScenefoをアップロードする。
【０１１７】
ＤＴＶは、「いいね！」が指定されたScenefoをアップロードする。
【０１１８】
ＤＴＶは、お気に入り登録されたScenefoをアップロードする。
【０１１９】
端末について
端末は、[Scenefo] キー押下によりScenefoを表示した場合、Scenefoの再生位置、Scenefoをアップロードする。
【０１２０】
端末は、Scenefo詳細から得られた購入サイト、商品サイト、店舗サイト、又は地図サイトのＵＲＬ等をアップロードする。
【０１２１】
端末は、Scenefo詳細をメール送信した場合、Scenefo詳細に対応するScenefoをアップロードする。
【０１２２】
端末は、「いいね！」が指定されたScenefoをアップロードする。
【０１２３】
端末は、お気に入り登録されたScenefoをアップロードする。
【０１２４】
なお、Scenefoもタグリストのひとつとして、タグリスト利用ログもアップロードする。
【０１２５】
次に、画面遷移の一例について説明する。図２１Ａ、図２１Ｂ、図２１Ｃ、図２１Ｄは、画面遷移の一例を示す図である。図２２〜図２６は、画面遷移の詳細の一例を示す図である。図２７〜図３０は、各画面の一例を示す図である。
【０１２６】
例えば、ＤＴＶ１が、再生初期状態又はブラウザ初期状態で、例えば記録コンテンツ（録画番組）の再生画面を表示している状況で（図２１ＡのSF-000/SF-999）、「気になる！」キー押下を検出すると、再生中のシーン情報、再生後のシーン情報、及び再生前のシーン情報を一覧表示する。
【０１２７】
図２７は、シーン情報の一覧表示の一例を示す図である。ＤＴＶ１は、記録コンテンツ（録画番組）の再生中に、「気になる！」キー押下を検出すると、例えば、再生中のシーン（再生位置）をお気に入りへ登録し、また、クラウドざんまいの気になる！シーン一覧へ登録し、クラウドメニューのInboxにメッセージを通知する。さらに、ＤＴＶ１は、複数のシーン情報を一覧表示する（再生中のシーン情報、再生後のシーン情報、及び再生前のシーン情報を表示する）。また、シーン情報は、商品情報アイコン等を含み、ユーザは、商品情報アイコンを選択するだけで、シーンに応じた商品情報サイト、商品購入サイトを見ることができる。
【０１２８】
また、ＤＴＶ１が、再生初期状態又はブラウザ初期状態で、例えば放送コンテンツ（ＯＡ番組）の再生画面（リアルタイム再生画面）を表示している状況で（図２１ＡのSF-000/SF-999）、「気になる！」キー押下を検出すると、図２８に示すように、ＤＴＶ１は、再生中のシーン（放送位置）をクラウドざんまいの気になる！シーン一覧へ登録し、クラウドメニューのInboxにメッセージを通知する。さらに、ＤＴＶ１は、再生中のシーンから記録を開始する。
【０１２９】
上記の通り、再生状況に応じて、「気になる！」キー押下に基づく処理が切り換わる。つまり、記録コンテンツの再生中に「気になる！」キー押下が検出されると、シーン情報が表示され、放送コンテンツの再生中に「気になる！」キー押下が検出されると、記録が開始される。
【０１３０】
図２９は、ＤＴＶにより表示されるクラウドメニューの一例を示す図である。上記メッセージの通知は、メッセージアイコン上に反映される。また、シーンリストアイコンを選択し、図３０のシーン一覧画面を表示することもできる。つまり、上記登録されたシーン情報をシーン一覧画面から選択することができる。例えば、ユーザが所望の登録シーン情報を選択すれば、ＤＴＶ１は、選択された所望の登録シーン情報に対応するシーンを再生する。また、ユーザが、複数の登録シーン情報に基づく連続再生を選択すれば、ＤＴＶ１は、複数の登録シーン情報に対応する複数のシーンを繋げて連続再生する。また、ユーザが、登録シーン情報に含まれた商品アイコン、ショップアイコン等を選択すれば、ＤＴＶ１は、商品情報サイト、商品購入サイト、ショップサイト等を表示する。
【０１３１】
以下、タイムクラウドのレコメンド仕様の一例を示す。
【０１３２】
<おすすめシーン>
・イチオシシーン
視聴ログから高視聴率な時間帯を算出し、対応するデータのシーンを高視聴率シーンとする。そのうちユーザが録画している番組のシーンをおすすめする。
【０１３３】
・人気シーン
タイムクラウドでのタグジャンプのログからタグジャンプの多かったタグ・シーンを算出し、そのうちユーザが録画している番組のシーン・タグをおすすめする。
【０１３４】
・みんなの気になるシーン
タイムクラウド利用者が「お気に入り」に入れたシーン・タグから、お気に入り登録の多いシーン・タグを算出し、そのうちユーザが録画している番組のシーン・タグをおすすめする。
【０１３５】
・Twitter盛り上がりシーン
放送局ハッシュタグに対するツイートから、ツイート数の多い時間帯を算出し、対応するメタデータ作成サーバで管理されたシーンを盛り上がりシーンとしておすすめする。
【０１３６】
・フレンドおすすめシーン
フレンドが「フレンドにメッセージ送信」したシーンをおすすめする。
【０１３７】
・ユーザおすすめシーンリスト
ユーザが自分の好きなタグ・シーンを集めて作成したシーンリストを提示する。
【０１３８】
・フレンド視聴シーン
フレンドのタグジャンプのログからタグジャンプの多かったタグ・シーンを算出し、そのタグ・シーンをおすすめする。
【０１３９】
・人気商品・店舗シーン
購入サイト（商品）へのジャンプ数を集計し、ジャンプ数の多い購入サイトをおすすめする。店舗サイト（店舗）へのジャンプ数を集計し、ジャンプ数の多い店舗サイトをおすすめする。
【０１４０】
・あなたへのおすすめシーン
パーソナライズしたおすすめ。他ユーザのプロフィール・視聴シーンログから、ユーザの嗜好にあったシーンを算出する。そのうちユーザが録画している番組のシーンをおすすめする。
【０１４１】
なお、上記の処理の手順は全てソフトウェア（シーン情報出力プログラム）によって実行することが可能である。このため、処理手順を実行するプログラム（アプリケーション）を再生装置又はモバイル端末へインストールして実行するだけで、上記処理を実現することができる。
【０１４２】
例えば、再生装置又はモバイル端末は、上記プログラムをサーバからダウンロードし、ダウンロードしたプログラムを記憶し、プログラムのインストールを完了することができる。或いは、再生装置又はモバイル端末は、コンピュータ読み取り可能な記憶媒体から上記プログラムを読み取り、読み取ったプログラムを記憶し、プログラムのインストールを完了することができる。
【０１４３】
以下、ＤＴＶのScenePlayによるシーン単位の再生について説明する。図３１Ａ、図３１Ｂ、図３１Ｃは、ScenePlayの機能一覧の一例を示す図である。
【０１４４】
例えば、ＤＴＶは、コンテンツの記録処理に対応して、記録コンテンツの記録ログをサーバへ送信する。記録ログは、ＤＴＶの識別情報及び記録コンテンツの識別情報（番組名、番組放送日、チャンネル番号、ＩＤ等）を含む。サーバは、ＤＴＶの識別情報に対応付けて記録コンテンツの識別情報を管理する。これにより、サーバは、ＤＴＶにより記録された全てのコンテンツを管理することができる。つまり、ＤＴＶにより再生可能な状態の全てのコンテンツを管理することができる。例えば、図１６に示す履歴収集サーバＳ１３が、各ＤＴＶで再生可能な状態の全てのコンテンツを管理する。なお、上記説明では、ＤＴＶにより記録された全てのコンテンツを再生可能な状態のコンテンツとしてとして説明したが、ＤＴＶに接続されたレコーダにより記録された全てのコンテンツも再生可能な状態のコンテンツとして含めることができる。コンテンツの記録先は、ＤＴＶに内蔵された記憶媒体（例えばハードディスク）であってもよいし、ＤＴＶに外部接続された記憶媒体であってもよいし、レコーダに内蔵された記憶媒体であってもよいし、レコーダに外部接続された記憶媒体であってもよい。
【０１４５】
サーバは、複数のコンテンツの夫々に含まれる複数のシーンに対応する複数のシーン情報を管理しており、サーバは、ＤＴＶで再生可能なコンテンツに対応するシーン情報をＤＴＶへ送信する。例えば、図１６に示すメタデータサーバＳ１１が、複数のシーン情報を管理し、シーン情報は識別情報（番組名、番組放送日、チャンネル番号、ＩＤ等）を含む。サーバは、ＤＴＶで再生可能な記録コンテンツの識別情報を管理しているので、このＤＴＶへ送信すべきシーン情報を検出することができ、ＤＴＶへ検出されたシーン情報を送信することができる。つまり、サーバは、ＤＴＶで再生可能な記録コンテンツの識別情報とシーン情報の識別情報とを比較し、例えば記録コンテンツの識別情報の少なくとも一部とシーン情報の識別情報の少なくとも一部とが一致する場合に、このシーン情報をＤＴＶへ送信する。
【０１４６】
ＤＴＶは、サーバから１以上のコンテンツの１以上のシーンに対応する１以上のシーン情報を受信する。ここでは、ＤＴＶが、サーバから複数のコンテンツの夫々の複数のシーンに対応する複数のシーン情報を受信することを前提とする。
【０１４７】
さらに、ＤＴＶは、サーバからの各種情報（以下説明する視聴率情報等）及び指定条件（キーワード等）のうちの少なくとも一方に基づき、複数のシーン情報の中から、おすすめの複数のシーン情報を検索し、検索したシーン情報を提示（表示）することができる。例えば、ＤＴＶは、カテゴリ別に、おすすめシーン情報を提示することができる（図２１Ｂ参照）。
【０１４８】
例えば、ＤＴＶは、サーバからの検索急上昇ワード情報（検索人気キーワード情報）に基づき、イチオシシーンとして複数のシーン情報を提示することができる。例えば、ＤＴＶは、検索急上昇ワード情報に含まれた検索急上昇ワードトップ１０に対応する複数のシーン情報を提示することができる。つまり、検索急上昇ワードトップ１０を含む複数のシーン情報を提示することができる。ＤＴＶは、上記した検索急上昇ワードトップ１０に対応する複数のシーン情報のうちの選択されたシーン情報に対応する１シーン（例えば検索急上昇ワード第１位に対応する１シーン）を再生することもできるし、検索急上昇ワードトップ１０に対応する複数のシーン情報に対応する複数のシーン（例えば検索急上昇ワード第１位〜第１０位までの複数のシーン）を連続再生することもできる。
【０１４９】
例えば、ＤＴＶは、サーバからの視聴率情報に基づき、イチオシシーンとして複数のシーン情報を提示することができる。例えば、ＤＴＶは、視聴率情報に含まれた視聴率トップ１０に対応する複数のシーン情報を提示することができる。視聴率情報は、複数のＤＴＶからの再生ログ等の集計結果に基づき生成され、視聴率第１位〜第１０位までのシーン情報のＩＤを含む。ＤＴＶは、上記した視聴率トップ１０に対応する複数のシーン情報のうちの選択されたシーン情報に対応する１シーン（例えば視聴率第１位に対応する１シーン）を再生することもできるし、視聴率トップ１０に対応する複数のシーン情報に対応する複数のシーン（例えば視聴率第１位〜第１０位までの複数のシーン）を連続再生することもできる。例えば、図４２に示すように、人気シーントップ３０に対応する複数のシーン情報を提示することもできる。
【０１５０】
シーン情報が選択されると、ＤＴＶは、選択されたシーン情報に含まれた識別情報に基づき、コンテンツ中のシーンを検出し、検出したシーンを再生する。例えば、１週間以内に放送され記録されたコンテンツを対象として、対象としたコンテンツからシーンを検出することができる。複数のシーン情報が選択されると、ＤＴＶは、選択された複数のシーン情報に含まれた複数の識別情報に基づき、複数のコンテンツ中の複数のシーンを検出し、検出した複数のシーンを再生する。例えば、１週間以内に放送され記録されたコンテンツを対象として、対象としたコンテンツから複数のシーンを検出することができる。また、図４１に示すように、瞬間視聴率トップ３０に対応する複数のシーン情報を提示することもできる。
【０１５１】
また、ＤＴＶは、サーバからの人気シーン情報（再生率が高いシーン情報）に基づき、人気シーンとして複数のシーン情報を提示することができる。例えば、ＤＴＶは、人気シーン情報に含まれた人気シーントップ１０に対応する複数のシーン情報を提示することができる。人気シーン情報は、複数のＤＴＶからの再生ログ等の集計結果に基づき生成され、人気シーン第１位〜第１０位までの人気シーン情報のＩＤを含む。ＤＴＶは、上記した人気シーントップ１０に対応する複数のシーン情報のうちの選択されたシーン情報に対応する１シーン（例えば人気シーン第１位に対応する１シーン）を再生することもできるし、人気シーントップ１０に対応する複数のシーン情報に対応する複数のシーン（例えば人気シーン第１位〜第１０位までの複数のシーン）を連続再生することもできる。例えば、図４２に示すように、人気シーントップ３０に対応する複数のシーン情報を提示することもできる。
【０１５２】
シーン情報が選択されると、ＤＴＶは、選択されたシーン情報に含まれた識別情報に対応する、コンテンツ中のシーンを検出し、検出したシーンを再生する。複数のシーン情報が選択されると、ＤＴＶは、選択された複数のシーン情報に含まれた複数の識別情報に対応する、複数のコンテンツ中の複数のシーンを検出し、検出した複数のシーンを再生する。
【０１５３】
また、ＤＴＶは、サーバからの人気サイト情報に基づき、人気サイト情報に関係するシーンとして複数のシーン情報を提示することができる。ＤＴＶは、人気サイト情報に含まれた人気サイトトップ１０に関係する複数のシーン情報を提示することができる。例えば、人気サイト情報は、サイトアクセス履歴等の集計結果に基づき生成され、人気サイト第１位〜第１０位までの人気サイト情報のＩＤを含む。ＤＴＶは、上記した人気サイトトップ１０に関係する複数のシーン情報のうちの選択されたシーン情報に対応する１シーン（例えば人気サイト第１位に対応する１シーン）を再生することもできるし、人気サイトトップ１０に関係する複数のシーン情報に対応する複数のシーン（例えば人気サイト第１位〜第１０位までの複数のシーン）を連続再生することもできる。
【０１５４】
また、図４３に示すように、ＤＴＶは、フレンドのおすすめシーン情報を提示することもでき、提示されたシーン情報の中から選択されたシーン情報に対応するシーンを再生することもできる。
【０１５５】
また、図４４に示すように、ＤＴＶは、今日のホットワードに対応するシーン情報を提示することもでき、提示されたシーン情報の中から選択されたシーン情報に対応するシーンを再生することもできる。
【０１５６】
例えば、ＤＴＶは、サッカーのゴールシーンだけを集めて連続再生することもできる。
【０１５７】
次に、画面遷移の一例について説明する。図３２は、ScenePlayの画面遷移の一例を示す図である。図３３は、クラウドメニュー画面の一例を示す図であり、図３４〜図３９は、遷移後の画面の一例を示す図である。
【０１５８】
例えば、ＤＴＶが、クラウドメニュー画面（図３３又は図４０参照）を表示し、クラウドメニュー画面からタイムクラウドが選択されると、ＤＴＶは、カテゴリ別のシーン再生画面（図３４参照）を表示する。例えば、カテゴリ別のシーン再生画面は、今日のイチオシシーン、人気シーンランキング、売れ筋商品ランキング、人気のお店ランキング、フレンドからのおすすめ、履歴からのおすすめ等の項目を含む。また、カテゴリ別のシーン再生画面（図３４参照）は、ユーザがカスタマイズすることができる。例えば、キーワード検索で該当したシーンを集めて、ユーザカスタマイズのシーン再生画面（図４５参照）を表示することもできる。
【０１５９】
さらに、ＤＴＶは、画面遷移により、シーン／番組検索画面（図３５参照）、詳細検索画面（図３６参照）、気になる！シーン画面（図３７参照）、気になる！シーン削除画面（図３８参照）、おすすめシーン／番組画面（図３９参照）等を表示する。
【０１６０】
上記説明したＤＴＶのScenePlayについてまとめる。
【０１６１】
ＤＴＶは、おすすめシーンの一覧を提示し、提示したおすすめシーンの一覧から選択されたシーンに基づき、ダイレクトに選択されたシーンを含む番組、又は選択されたシーンを特定して再生することができる。さらにおすすめシーンだけを繋いだ連続再生もできる。
【０１６２】
詳細は、以下の通り。
【０１６３】
・ＤＴＶは、おすすめをシーン単位で検索する。
【０１６４】
・ＤＴＶは、おすすめシーン、おすすめ番組、お気に入り、シーン検索を一覧表示する。
【０１６５】
・ＤＴＶは、代表的なおすすめシーンを複数提示する。
【０１６６】
・ＤＴＶは、ユーザが視聴できる番組（録画コンテンツ）を対象として、シーンを検索する。
【０１６７】
・ＤＴＶに上記を実現させるため、サーバは、各ＤＴＶからの録画／削除のログを記憶する。又は、ＤＴＶが、コンテンツの記録リストに基づき、サーバからシーン情報を検索するようにしてもよい。
【０１６８】
・ＤＴＶに接続されたレコーダ等に記憶されたコンテンツについても、ＤＴＶで視聴可能コンテンツとするようにしてもよい。
【０１６９】
・ＤＴＶは、お気に入りシーンだけは、再生できなくても、残す（商品の紹介などもいけるようにするため）。
【０１７０】
・ＤＴＶは、シーン検索履歴の検索式の履歴を残す。又は、ＤＴＶは、お気に入り検索キーを登録する。
【０１７１】
・ＤＴＶは、番組単位又はシーン単位の検索を選択できる。
【０１７２】
・ＤＴＶは、おすすめシーンのカテゴリを複数提示する。例えば、以下の通り。
【０１７３】
今日のイチオシ
人気シーン
売れ筋
フレンドおすすめ等
・ＤＴＶは、複数のシーンの連続再生時に、スキップの指示に対応して、現在のシーンの次のシーンを再生する、又は現在のシーンを含むコンテンツの次のコンテンツのシーンを再生する。
【０１７４】
なお、上記の処理の手順は全てソフトウェア（シーン再生プログラム）によって実行することが可能である。このため、処理手順を実行するプログラム（アプリケーション）を再生装置又はモバイル端末へインストールして実行するだけで、上記処理を実現することができる。
【０１７５】
例えば、再生装置又はモバイル端末は、上記プログラムをサーバからダウンロードし、ダウンロードしたプログラムを記憶し、プログラムのインストールを完了することができる。或いは、再生装置又はモバイル端末は、コンピュータ読み取り可能な記憶媒体から上記プログラムを読み取り、読み取ったプログラムを記憶し、プログラムのインストールを完了することができる。
【０１７６】
さらに、上記説明したScenePlayについて追加説明する。
【０１７７】
例えば、ユーザが、何を見ようか悩んでいるときに、再生装置（例えばＤＴＶ）１のScenePlayサービスを利用することにより、再生装置１により、１又は複数のおすすめシーン（シーン情報）の提示を受けることができる。例えば、ユーザは、提示された複数のおすすめシーン情報の中から１つのおすすめシーン情報を選択すると、再生装置１は、選択されたおすすめシーン情報に対応する、コンテンツ（以下、対応コンテンツ）中のシーンを特定し、特定シーン（つまりお薦めシーン）からダイレクトに再生を開始する。例えば、図１８Ａに示すように、シーン情報は、番組識別情報（番組名など）、シーン開始時間、シーン終了時間などを含むので、再生装置１は、シーン情報に含まれる番組識別情報と、記録されたコンテンツ（コンテンツの管理情報）に含まれる番組識別情報とを比較、照合し、シーン情報に対応するコンテンツを特定し、さらに、このシーン情報に対応する、このコンテンツ中のシーンも特定することができる。
【０１７８】
通常のシーン再生指示（第１の再生指示）を受け付けた場合には、再生装置１は、対応コンテンツ中の特定シーンから再生を開始し、特定シーンの再生が終了すると、特定シーンの後続の、対応コンテンツの再生が継続される。つまり、通常のシーン再生指定を受け付けた場合には、再生装置１は、対応コンテンツ中の特定シーンから再生を開始し、対応コンテンツの最後まで再生を継続する。
【０１７９】
シーン連続再生指示（第２の再生指示）を受け付けた場合には、再生装置１は、対応コンテンツ中の特定シーンから再生を開始し、特定シーンの再生が終了すると、特定シーン（上記選択されたお薦めシーン）の次のおすすめシーンの再生が継続される。なお、次のおすすめシーンは、対応コンテンツ中のシーンの場合もあるし、別のコンテンツ中のシーンの場合もある。
【０１８０】
（１）気になる！シーンの基本機能
・気になる！シーンへの登録
オンエア、PVR、タイムシフト視聴中に、気になる！ボタンが押されると、再生装置１は、サーバにシーンを登録する。例えば、登録される情報は、視聴中の番組を特定可能なユニークな番組ＩＤ及び視聴位置情報（再生時間情報。例えば番組の頭からの位置情報。）を含む。なお、オンエア中に、気になる！ボタンが押下された場合、再生装置１は、オンエア中の番組の記録を開始する。
【０１８１】
・気になる！シーンへの遷移
再生装置１に表示されるメニュー画面（例えば図３３、図４０、図４７）から、クラウドざんまい（例えば図４０、図４８）から、その他多数ページから、気になる！シーンへ遷移することができる。
【０１８２】
例えば、再生装置１は、選択された気になる！シーンを再生し、そのシーンの再生が終了すると、自動的に又はユーザからの再生指示（通常のシーン再生又はシーン連続再生）に応じて、次のシーンの再生を開始する。或いは、再生装置１は、事前のシーンの再生設定（通常のシーン再生又はシーン連続再生）に基づき、選択された気になる！シーンを再生し、そのシーンの再生が終了すると、次のシーンの再生を開始する。通常のシーン再生とシーン連続再生の詳細は後述する。
【０１８３】
・気になる！シーンの登録完了
気になる！シーンの登録完了のポップアップから、直接、ScenePlayへ遷移することもできる。
【０１８４】
（２）気になる！シーンのリスト表示機能・リスト作成プロセス
・気になる！シーン：[1]、[2]のリストを一括表示
[1]シーン自体が選択されてお気に入り登録されたシーン
[2]気になる！ボタンをおした瞬間の位置（点）にかかるシーン
・再生装置の動作
再生装置１は、気になる！ボタンの押下を検出した瞬間に、その時刻（点）についてのシーン情報取得情報（例えば視聴中の番組ＩＤ及び視聴位置情報（再生時間情報））をサーバへ送信する。再生装置１は、気になる！シーンのリスト作成に当って、その時刻（点）についてのシーン情報を、サーバから受信する。なお、サーバは、上記シーン情報取得情報を受け取り、１シーンに対応するシーン情報だけを送信してもよいし、視聴中の番組に関する全てのシーン情報を送信してもよい。即ち、再生装置１は、サーバに対して上記シーン情報取得情報を送信し、サーバから、１シーンに対応するシーン情報だけを受信するケース、又は視聴中の番組に関する全てのシーン情報を受信するケースがある。後者の場合、シーン毎にサーバへアクセスしてシーン情報を取得する必要がなくなり、シーン情報の取得の効率化を図ることができます。
【０１８５】
また、再生装置１が、番組再生中に、シーン情報のある位置を再生するとき、下記ポップアップ等によりシーン情報があることをユーザに知らせることも可能となる。シーン情報を取得するタイミングについても記録済みの番組を視聴する際には、番組の再生を開始した時点で当該番組のシーン情報をサーバへ要求し、サーバから送信される当該番組のシーン情報を取得するようにしてもよい。つまり、ユーザがいちいちシーン要求しなくてもよい。
【０１８６】
・サーバの動作
サーバは、再生装置１からのその時刻（点）についてのシーン情報取得情報（例えば視聴中の番組ＩＤ及び視聴位置情報（再生時間情報））を受信し、この受信したシーン情報取得情報に基づき、メタデータ作成会社等が作成したタグ又はシーン情報を検索する。
【０１８７】
上記の通り、再生装置１が、サーバに対してシーン情報取得情報を送信し、サーバが、再生装置１に対して、シーン情報取得情報に基づき検索したタグ又はシーン情報を送信する。再生装置１は、サーバからのタグ又はシーン情報を受信する。これにより、ユーザは、気になる！ボタンを押下するだけで、その時刻（点）に対応するタグ又はシーン情報を利用することができる。
【０１８８】
また、ユーザが、気になる！ボタンを押下した時点で、タグ又はシーン情報が作成されていないケースであっても、後に、タグ又はシーン情報が作成されてから、サーバが、再生装置１に対してタグ又はシーン情報を送信することができる。再生装置１は、タグ又はシーン情報を受信したら、その旨をポップアップ等で通知することができる。
【０１８９】
また、タグ又はシーン情報が更新されることも考えられ、タグ又はシーン情報が更新された場合、サーバは、再生装置１に対して更新されたタグ又はシーン情報を送信することができる。再生装置１は、更新されたタグ又はシーン情報を受信したら、その旨（受信したこと及び更新されたこと）をポップアップ等で通知することができる。
【０１９０】
（３）Inbox／新着メッセージ
再生装置１は、メニュー画面にInbox Messageを表示することができ、また、視聴中のポップアップにてInbox Messageを表示することができる。
【０１９１】
また、再生装置１は、新着メッセージを表示することもできる。
【０１９２】
また、再生装置１は、自分で作成したトリガ（気になる！ボタンの押下等）に基づく、自分へのポップアップを通知することもできる。
【０１９３】
また、再生装置１は、他人が作成したトリガ（フレンドへのお勧めシーン等）に基づく、自分へのポップアップを通知することもできる。
【０１９４】
また、再生装置１は、気になる！ボタンの押下等に基づく、Inbox Messageの自動作成、ポップアップ自動表示もできる。
【０１９５】
また、再生装置１は、Inbox、新着メッセージからおすすめ・指定されるシーンを直接再生することもできる。
【０１９６】
（４）引き当て（他人へのおすすめ）
フレンドへのおすすめシーン等について説明する。同一番組であっても、放送地域が異なると、チャンネル番号、放送開始時刻、放送終了時刻が異なる場合がある。そのため、ある地域の再生装置１が、別の地域の再生装置１（他人）からの情報（お勧めシーン情報、お勧め番組情報）を受け取っても、受け取った情報に基づき、目的のシーンを再生することができないケースが考えられる。
【０１９７】
そこで、ある地域の再生装置１が、サーバを介して、別の地域の再生装置１へ、おすすめシーン情報又はおすすめ番組情報を送信する場合、サーバが、ある地域の再生装置１から受け取ったおすすめシーン情報又はおすすめ番組情報に含まれるチャンネルコード、放送開始時刻、放送終了時刻等を、別の地域向けに変換し、変換されたチャンネルコード、放送開始時刻、放送終了時刻等を含むおすすめシーン情報又はおすすめ番組情報を別の地域の再生装置１へ送信する。
【０１９８】
各再生装置１が記憶するコンテンツには、一意にコンテンツIDが振られるため、コンテンツをコンテンツIDで管理する。ただし、コンテンツIDは、各再生装置１の記憶装置（HDD）の中でのみ固有なIDであり、他人には分からない。
【０１９９】
チャンネルコード（全世界的に固有）と、放送時間帯とにより、コンテンツを一意に特定することができる。フレンド側の再生装置１は、サーバに対して、チャンネルコードと放送時間帯とを送信することができる。サーバは、チャンネルコードと放送時間帯から、コンテンツを一意に絞ることができる。また、フレンド側の再生装置１は、サーバに対して、番組のタイトル、番組の概要、放送時間帯とを送信することができる。サーバは、番組のタイトルと放送時間帯とにより、コンテンツを一意に特定することができる。
【０２００】
サーバが、コンテンツを一意に特定することができれば、サーバは、各再生装置１の録画ログ等から、各再生装置１に応じたコンテンツIDを導き出すことができる。
【０２０１】
（５）モード選択
再生装置１が、ScenePlayを実行するに当って、どのような検索モード、どのような連続再生リスト作成モードとするかを決定する。
【０２０２】
例えば、再生装置１は、サーバから送信された多数のシーン情報の中から、ホットワードを含むシーン情報を検索することができる。ユーザが、検索されたシーン情報を選択すると、再生装置１は、シーン情報に対応する、コンテンツのシーンを再生する。
【０２０３】
ホットワードによるシーン又は番組検索は、メタデータ作成会社等が作成したタグ又はシーン情報（例えば、番組タイトル、登場人物等）から行う。
【０２０４】
タグリストは、タグリスト自動作成ソフト、又はユーザにより作られる。
【０２０５】
（６）シーン番組検索（UI含む）
再生装置１は、モード選択により決定されたモードに従って、シーン情報の検索結果を表示する。
【０２０６】
・UI（図５０参照）
左上：検索キーワード入力画面
左中、左下：過去に検索したキーワードの履歴
中央：検索結果（複数のシーン）
右上：フォーカスしているシーンのプレビュー
右中、右下：フォーカスしているシーンの詳細情報
再生装置１は、連続再生ボタンにより、検索結果の順番に連続して再生する。また、再生装置１は、検索結果のヒット順に基づきシーン情報を並べる。また、再生装置１は、同一番組のシーンは、できる限り連続して並べる。また、再生装置１は、検索結果（各シーン）ごとに、商品情報アイコン、店舗情報アイコンを表示する。
【０２０７】
商品情報アイコンは、商品の情報がある場合に表示される。店舗情報アイコンは、商品を購入するための店舗の情報（URL）がある場合に表示される。
【０２０８】
プレビューは、原則、フォーカスされているシーンのプレビューである。フォーカスされているシーンの再生が完了したら、次のシーンのプレビューへ移行する。即ち、プレビューも連続再生となる。
【０２０９】
フォーカスのシーンと、プレビューのシーンとが異なるため、プレビュー再生位置（シーン）を表示するアイコンを付与する。
【０２１０】
新たなシーンがフォーカスされた場合、プレビューもあわせて切り替えられる。
【０２１１】
詳細情報は、番組タイトル、時間、詳細情報、気になる！シーンに登録、フレンドにおすすめ、関連リンク（商品名）などである。詳細検索は、２つのキーワードを用いて、AND,OR,NOTの検索ができる。
【０２１２】
（７）シーンの再生制御
ScenePlay、気になる！シーン、おすすめシーンにおいて、シーンを選択して再生するシーン再生制御について説明する。ここでは、シーン情報に基づくシーン再生制御について説明するが、タグ情報に基づくシーン再生制御と読み替えても良い。
【０２１３】
・シーンの選択
上記説明したように、再生装置１は、サーバからの多数のシーン情報を受信し、これら多数のシーン情報を表示することができる（図５０参照）。さらに、再生装置１は、各種条件（ホットワードなど）に基づき、受信したシーン情報から複数のシーン情報を抽出することができる。即ち、再生装置１は、モード選択（図４９参照）に基づき、受信したシーン情報から複数のシーン情報を抽出することができる（図５１、図５２参照）。
【０２１４】
例えば、再生装置１は、抽出された複数のシーン情報を気になる！シーンとして表示することができる（図５１参照）。又は、再生装置１は、抽出された複数のシーン情報をおすすめシーンとして表示することができる（図５２参照）。
【０２１５】
ユーザが、抽出された複数のシーン情報の中から所望のシーン情報を選択すると、再生装置１は、選択されたシーン情報に対応するシーンの開始位置から再生を開始する。
【０２１６】
例えば、ユーザが、所望のシーン情報を選択し、通常のシーン再生指示（第１の再生指示）を指示した場合、再生装置１は、選択されたシーン情報に対応する、所定コンテンツ中のシーンの開始位置から再生を開始し、そのシーンの終了位置まで再生が完了すると、再生を停止せずに、所定コンテンツのそのシーンの続きを再生する。これにより、所定コンテンツが最後まで再生される。なお、所定コンテンツが全て記録されていないような場合には、記録範囲の終了位置までの再生となる。
【０２１７】
例えば、ユーザが、所望のシーン情報を選択し、シーン連続再生指示（第２の再生指示）を指示した場合、再生装置１は、選択されたシーン情報に対応する、所定コンテンツ中のシーンの開始位置から再生を開始し、そのシーンの終了位置まで再生が完了すると、再生を停止せずに、選択されたシーン情報の次のシーン情報が再生される（図５３参照）。
【０２１８】
図５４を参照して、通常のシーン再生指示（第１の再生指示）とシーン連続再生指示（第２の再生指示）の一例について説明する。
【０２１９】
再生装置１が、サーバから、シーン情報Ａ−１、Ａ−２、…、Ｂ−１、Ｂ−２、…、Ｃ−１、Ｃ−２、…、Ｅ−１、Ｅ−２、…、を受信しているケースを想定する。シーン情報Ａ−１は、コンテンツＡのシーン１を示す。再生装置１は、指定された条件に合致するシーン情報を抽出し、並び替える（図５１、図５２参照）。例えば、再生装置１は、シーン情報Ａ−１、Ａ−２、Ａ−３、Ｃ−２、Ｃ−４、Ｅ−１を含む抽出シーンリストを表示する。
【０２２０】
ユーザが、抽出シーンリスト中のシーン情報Ａ−２を選択し、且つ通常のシーン再生指示（第１の再生指示）を指示した場合、再生装置１は、選択されたシーン情報Ａ−２に対応する、コンテンツＡのシーン２の開始位置から再生を開始し、そのシーン２の終了位置まで再生が完了すると、コンテンツＡのシーン２の続き（シーン３、４、５）が再生される。このとき、再生装置１は、コンテンツＡ（シーン２）の映像を出力するとともに、コンテンツＡ（記録範囲）の再生開始位置から再生終了位置までを示し且つ現在再生位置を示すシークバー（ガイドバー）に対応する映像を出力する。
【０２２１】
ユーザが、抽出シーンリスト中のシーン情報Ａ−２を選択し、且つシーン連続再生指示（第１の再生指示）を指示した場合、再生装置１は、選択されたシーン情報Ａ−２に対応する、コンテンツＡのシーン２の開始位置から再生を開始し、そのシーン２の終了位置まで再生が完了すると、選択されたシーン情報Ａ−２の次のシーン情報Ａ−３を再生し、その次にシーン情報Ｃ−２を再生し、その次にシーン情報Ｃ−４を再生し、その次にシーン情報Ｅ−１を再生する。再生装置１は、シーン情報Ａ−２に対応するシーンの再生中には、コンテンツＡ（シーン２）の映像を出力するとともに、コンテンツＡ（記録範囲）の再生開始位置から再生終了位置までを示し且つ現在再生位置を示すシークバー（ガイドバー）に対応する映像を出力する。また、再生装置１は、シーン情報Ｃ−２に対応するシーンの再生中には、コンテンツＣ（シーン２）の映像を出力するとともに、コンテンツＣ（記録範囲）の再生開始位置から再生終了位置までを示し且つ現在再生位置を示すシークバー（ガイドバー）に対応する映像を出力する。また、再生装置１は、シーン情報Ｅ−１に対応するシーンの再生中には、コンテンツＥ（シーン１）の映像を出力するとともに、コンテンツＥ（記録範囲）の再生開始位置から再生終了位置までを示し且つ現在再生位置を示すシークバー（ガイドバー）に対応する映像を出力する。
【０２２２】
また、番組の一部しか記録していない場合に、再生装置１は、記録範囲の開始位置よりも前の時点の再生を指示するコマンドを受け付けた場合、再生装置１は、記録範囲の開始位置から再生を開始する。また、再生装置１は、記録範囲の終了位置よりも後の時点の再生を指示するコマンドを入力した場合、再生処理を行わない。
【０２２３】
次に、同一番組中の複数のシーンの連続再生（第１の連続再生）と、異なる複数番組中の複数のシーンの連続再生（第２の連続再生）についてさらに説明する。
【０２２４】
再生装置１は、第１の連続再生をシーク処理で対応するが（停止しない）、第２の連続再生については、第１のコンテンツの第１のシーンを再生し、第１のコンテンツの第１のシーンの再生を停止し、第２のコンテンツの第１のシーンを再生する。
【０２２５】
また、再生装置１は、第１の連続再生中（第１のコンテンツの第１のシーン再生中）における、順方向の早送り再生の指示に基づき、第１のコンテンツの範囲で順方向の早送り再生を実行する（現シーンの開始→終了→次シーンの開始→終了とすすむ）。
【０２２６】
また、再生装置１は、第２の連続再生中（第１のコンテンツの第１のシーン再生中）における、順方向の早送り再生の指示に基づき、第１のシーン〜第ｎのシーンの範囲で順方向の早送り再生を実行する（現シーンの開始→終了→次シーンの開始→終了とすすむ）。
【０２２７】
また、再生装置１は、第１の連続再生中（第１のコンテンツの第１のシーン再生中）における、逆方向の早送り再生の指示に基づき、第１のコンテンツの範囲で逆方向の早送り再生を実行する（現シーンの終了→開始→前シーンの終了→開始とすすむ）。また、再生装置１は、第２の連続再生中（第１のコンテンツの第１のシーン再生中）における、逆方向の早送り再生の指示に基づき、第１のシーン〜第ｎのシーンの範囲で逆方向の早送り再生を実行する（現シーンの終了→開始→前シーンの終了→開始とすすむ）。
【０２２８】
また、再生装置１は、第１の連続再生中（第１のコンテンツの第１のシーン再生中）における、順方向のスキップ再生の指示に基づき、第１のコンテンツの範囲で現在再生位置より順方向に所定時間離れたスキップ再生位置から再生を実行する、或いは、第１のコンテンツの範囲で、第１のシーンの次のシーンの開始位置から再生を実行する。また、再生装置１は、第２の連続再生中（第１のコンテンツの第１のシーン再生中）における、順方向のスキップ再生の指示に基づき、第１のシーン〜第ｎのシーンの範囲で現在再生位置より順方向に所定時間離れたスキップ再生位置から再生を実行する、或いは、第１のシーン〜第ｎのシーンの範囲で、第１のシーンの次のシーンの開始位置から再生を実行する。
【０２２９】
また、再生装置１は、第１の連続再生中（第１のコンテンツの第１のシーン再生中）における、逆方向のスキップ再生の指示に基づき、第１のコンテンツの範囲で現在再生位置より逆方向に所定時間離れたスキップ再生位置から再生を実行する、或いは、第１のコンテンツの範囲で、第１のシーンの前のシーンの開始位置から再生を実行する。また、再生装置１は、第２の連続再生中（第１のコンテンツの第１のシーン再生中）における、逆方向のスキップ再生の指示に基づき、第１のシーン〜第ｎのシーンの範囲で現在再生位置より逆方向に所定時間離れたスキップ再生位置から再生を実行する、或いは、第１のシーン〜第ｎのシーンの範囲で、第１のシーンの前のシーンの開始位置から再生を実行する。
【０２３０】
なお、逆方向の早送り再生により、現在再生中のシーンの開始位置まで逆方向に再生が進んだ後、前のシーンへ移行せずに、再生を停止するようにしてもよい。
【０２３１】
また、一部のシーン、一部の番組しか記録されていない場合（記録範囲が限られている場合）は、シーンの先頭、末尾、又は番組の先頭、末尾が区切りとなり、再生が制御される。
【０２３２】
（８）おすすめシーンのカテゴリ
再生装置１が表示するおすすめシーンのカテゴリとして、例えば以下がある。
【０２３３】
今日のいちおしシーン
人気シーン
みんなの気になるシーン
Twitter盛り上がりシーン
フレンドおすすめシーン
フレンドの気になるシーン
人気商品・店舗シーン
人気商品シーン
あなたへのおすすめシーン
シーン視聴率ランキング
ホットワード検索
なお、ホットワード検索は、おすすめキーワードによる検索である。
【０２３４】
（９）気になる！シーンの表示
再生装置１は、ユーザの気になる！ボタンの押下に応じて、気になる！シーンをサーバへ登録・蓄積する。
【０２３５】
再生装置１は、気になる！シーンを日付でソートして表示する。例えば、気になる！シーンの（サーバ上への）登録件数の上限は、5000件とする。例えば、再生装置１は、気になる！シーンを20件ずつ表示する。例えば、再生装置１は、サーバから気になる！シーン６０件分の情報を受信し、日付でソートして降順又は昇順で２０件分の情報を表示する。表示された２０件分の前の２０件、後の２０件も受信済みであるため、スクロール操作に対応して瞬時に表示を更新することができる。なお、再生装置１は、登録された最大5000件の気になる！シーンを検索することもできる。また、再生装置１は、シーンを絞り込むこともできる。例えば、再生装置１は、シーン情報か否か、CMか否か、商品・店舗情報があるか否かの３つのチェックボックスを利用し、表示するシーン情報を絞り込むことができる。
【０２３６】
（１０）おすすめする範囲の限定
再生装置１は、シーンの検索結果、ランキング結果、フレンドからのおすすめ結果であるシーン情報に対応するシーンを再生することができる。つまり、再生装置１は、記録コンテンツに含まれるシーンに対応するシーン情報を受信する。これにより、再生装置１が表示するシーン情報であれば、ユーザは、どのシーン情報を選択しても、選択したシーン情報に対応するシーンを視聴することができる。
【０２３７】
例えば、再生装置１は、全チャンネルを２４時間記録する記録装置と接続され、記録装置により記録されたコンテンツのうちの所定のシーンを検索して再生することができる。
【０２３８】
なお、上記したモジュールとは、ハードウェアで実現するものであっても良いし、ＣＰＵ等を使ってソフトウェアで実現するものであってもよい。
【０２３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０２４０】
１…再生装置（ＤＴＶ）、２…モバイル端末、Ｓ１１…タグリストサーバ、Ｒ…リモートコントローラ
【図１】
2014229992.tif 000003
【図２】
2014229992.tif 000004
【図３】
2014229992.tif 000005
【図４】
2014229992.tif 000006
【図５】
2014229992.tif 000007
【図６】
2014229992.tif 000008
【図７】
2014229992.tif 000009
【図８】
2014229992.tif 000010
【図９】
2014229992.tif 000011
【図１０】
2014229992.tif 000012
【図１１】
2014229992.tif 000013
【図１２Ａ】
2014229992.tif 000014
【図１２Ｂ】
2014229992.tif 000015
【図１２Ｃ】
2014229992.tif 000016
【図１３】
2014229992.tif 000017
【図１４】
2014229992.tif 000018
【図１５】
2014229992.tif 000019
【図１６】
2014229992.tif 000020
【図１７】
2014229992.tif 000021
【図１８Ａ】
2014229992.tif 000022
【図１８Ｂ】
2014229992.tif 000023
【図１８Ｃ】
2014229992.tif 000024
【図１８Ｄ】
2014229992.tif 000025
【図１９】
2014229992.tif 000026
【図２０】
2014229992.tif 000027
【図２１Ａ】
2014229992.tif 000028
【図２１Ｂ】
2014229992.tif 000029
【図２１Ｃ】
2014229992.tif 000030
【図２１Ｄ】
2014229992.tif 000031
【図２２】
2014229992.tif 000032
【図２３】
2014229992.tif 000033
【図２４】
2014229992.tif 000034
【図２５】
2014229992.tif 000035
【図２６】
2014229992.tif 000036
【図２７】
2014229992.tif 000037
【図２８】
2014229992.tif 000038
【図２９】
2014229992.tif 000039
【図３０】
2014229992.tif 000040
【図３１Ａ】
2014229992.tif 000041
【図３１Ｂ】
2014229992.tif 000042
【図３１Ｃ】
2014229992.tif 000043
【図３２】
2014229992.tif 000044
【図３３】
2014229992.tif 000045
【図３４】
2014229992.tif 000046
【図３５】
2014229992.tif 000047
【図３６】
2014229992.tif 000048
【図３７】
2014229992.tif 000049
【図３８】
2014229992.tif 000050
【図３９】
2014229992.tif 000051
【図４０】
2014229992.tif 000052
【図４１】
2014229992.tif 000053
【図４２】
2014229992.tif 000054
【図４３】
2014229992.tif 000055
【図４４】
2014229992.tif 000056
【図４５】
2014229992.tif 000057
【図４６】
2014229992.tif 000058
【図４７】
2014229992.tif 000059
【図４８】
2014229992.tif 000060
【図４９】
2014229992.tif 000061
【図５０】
2014229992.tif 000062
【図５１】
2014229992.tif 000063
【図５２】
2014229992.tif 000064
【図５３】
2014229992.tif 000065
【図５４】
2014229992.tif 000066